(57)【要約】      （修正有）【課題】水滴を周囲に付着させずに水滴を拭き取ることができる傘保持具を提供する。【解決手段】傘を挿入して保持する傘保持具１０であって、円筒状に形成され、円筒内に挿入される傘を把持する把持部１１と、少なくとも円筒状の把持部１１の内側面に形成され、把持部１１に挿入される傘に付着した水滴を吸収する水吸収部１２と、傘保持具１０を物体に取り付けて保持させる保持部１３とを備える。【選択図】図１
0003229655.tif 000002
【実用新案登録請求の範囲】
【請求項１】
傘を挿入して保持する傘保持具であって、
円筒状に形成され、円筒内に挿入される前記傘を把持する把持部と、
少なくとも前記円筒状の前記把持部の内側面に形成され、前記把持部に挿入される前記傘に付着した水滴を吸収する水吸収部と、
前記傘保持具を物体に取り付けて保持させる保持部とを、
備えることを特徴とする傘保持具。
【請求項２】
前記把持部は前記傘の一部を把持し、傘の挿入口の円周長より前記挿入口と対向する出口の円周長のほうが短く構成されることを特徴とする請求項１に記載の傘保持具。
【請求項３】
前記把持部は、前記傘の抜け落ちを防ぐストッパー部を備えることを特徴とする請求項１又は２に記載の傘保持具。
【請求項４】
前記水吸収部は前記把持部に対して着脱可能に形成されていることを特徴とする請求項１から３のいずれか１項に記載の傘保持具。
【請求項５】
前記把持部は係止部材によって前記円筒状に形成されていることを特徴とする請求項１から４のいずれか１項に記載の傘保持具。
【考案の詳細な説明】
【技術分野】
【０００１】
本考案は、濡れた傘の水滴を拭き取る傘保持具に関するものである。
【背景技術】
【０００２】
雨の日などに利用した傘を携帯することは煩わしく、手荷物が多い場合には特に煩わしく傘や荷物の置き忘れの原因にもなっていた。また、満員電車など人が多くいる場所では周囲の人に傘が触れないように気を遣う必要があった。このような傘を携帯することの煩わしさを解消するものとして、傘を保持する傘保持具が考えられた（下記の特許文献１を参照）。これにより、傘を手で持つという煩わしさは解消することができる。
【先行技術文献】
【特許文献】
【０００３】
【特許文献１】実用新案登録第３１６５４１２号
【考案の概要】
【考案が解決しようとする課題】
【０００４】
しかし、傘を利用する場合の多くは雨が降っているときであり、傘の利用後には傘に水滴が付着している。傘に水滴が付着した状態で上記のような傘保持具で傘を保持して満員電車や車に乗り込むと、水滴が周囲に付着してしまい、周囲を濡らしてしまうという問題があった。
【０００５】
本考案は、上記従来の問題を解消するためのものであって、水滴を周囲に付着させずに水滴を拭き取ることができる傘保持具を提供することにある。
【課題を解決するための手段】
【０００６】
前記課題を解決するために、請求項１記載の考案にあっては、傘を挿入して保持する傘保持具であって、円筒状に形成され、円筒内に挿入される前記傘を把持する把持部と、少なくとも前記円筒状の把持部の内側面に形成され、前記把持部に挿入される前記傘に付着した水滴を吸収する水吸収部と、前記傘保持具を物体に取り付けて保持させる保持部とを、備えることを特徴とする。
【０００７】
請求項２記載の考案にあっては、前記把持部が前記傘の一部を把持し、傘の挿入口の円周長より前記挿入口と対向する出口の円周長のほうが短く構成されることは好ましい態様である。
【０００８】
請求項３記載の考案にあっては、前記把持部が前記傘の抜け落ちを防ぐストッパー部を備えることは好ましい態様である。
【０００９】
請求項４記載の考案にあっては、前記水吸収部が前記把持部に対して着脱可能に形成されていることは好ましい態様である。
【００１０】
請求項５記載の考案にあっては、前記把持部が係止部材によって前記円筒状に形成されていることは好ましい態様である。
【考案の効果】
【００１１】
請求項１記載の傘保持具にあっては、傘を挿入して保持する傘保持具であって、円筒状に形成され、円筒内に挿入される前記傘を把持する把持部と、少なくとも前記円筒状の前記把持部の内側面に形成され、前記把持部に挿入される前記傘に付着した水滴を吸収する水吸収部と、前記傘保持具を物体に取り付けて保持させる保持部とを、備えることにより、
水滴を周囲に付着させずに水滴を拭き取ることができる。
【００１２】
請求項２記載の傘保持具にあっては、前記把持部が前記傘の一部を把持し、傘の挿入口の円周長より前記挿入口と対向する出口の円周長のほうが短く構成されることにより、傘の挿入をしやすく、さらに抜け落ちを防止することができる。
【００１３】
請求項３記載の傘保持具にあっては、前記把持部が前記傘の抜け落ちを防ぐストッパー部を備えることにより、傘の抜け落ちを防止することができる。
【００１４】
請求項４記載の傘保持具にあっては、前記水吸収部が前記把持部に対して着脱可能に形成されていることにより、容易に交換することができる。
【００１５】
請求項５記載の傘保持具にあっては、前記把持部が係止部材によって前記円筒状に形成されていることにより、使用しない場合にはかさばらずに収納でき、持ち運びを容易にすることができる。
【図面の簡単な説明】
【００１６】
【図１】本考案に係る傘保持具の一実施形態を示す展開図である。
【図２】本考案に係る傘保持具の一実施形態を示す斜視図である。
【図３】本考案に係る傘保持具の一実施形態を利用して傘の水滴を吸収させる際の様子を示す図である。
【図４】本考案に係る傘保持具の一実施形態を示す展開図の裏面を示す図である。
【図５】本考案に係る傘保持具の保持部の保持させる手段がバックルである場合を示す図である。
【図６】本考案に係る傘保持具の保持部の保持させる手段がフックである場合を示す図である。
【図７】本考案に係る傘保持具の把持部が蛇腹部を備える場合を示す図である。
【図８】本考案に係る傘保持具の他の一実施形態を示す図である。
【図９】本考案に係る傘保持具の変形例の一つを示す図である。
【図１０】本考案に係る傘保持具の変形例の一つを示す図である。
【図１１】本考案に係る傘保持具の変形例の一つを示す図である。
【図１２】本考案に係る傘保持具の変形例の一つを示す図である。
【図１３】本考案に係る傘保持具の変形例の一つを示す図である。
【図１４】本考案に係る傘保持具の変形例の一つを示す図である。
【図１５】本考案に係る傘保持具をバッグに付けて使用した際の様子を示す図である。
【考案を実施するための形態】
【００１７】
以下、本考案に係る傘保持具を、一実施形態に基づき、図面を参照して説明する。
【００１８】
まず、一実施形態の構成について説明する。図１〜図１５は本考案に係る一実施形態の傘保持具を説明するための図である。
【００１９】
この一実施形態の傘保持具１０は、図１に示すように、傘を挿入して保持する傘保持具１０であって、円筒状に形成され、円筒内に挿入される傘を把持する把持部１１と、少なくとも円筒状の把持部１１の内側面に形成され、把持部１１に挿入される傘に付着した水滴を吸収する水吸収部１２と、傘保持具１０を物体に取り付けて保持させる保持部１３とを備える。
【００２０】
図１に示す傘保持具１０では、把持部１１は係止部材１４（１４ａ、１４ｂ）によって円筒状に形成される。ここでの係止部材１４は、把持部１１を円筒状に形成するための留め具であって、例えばジャンパーホック、ボタン、ファスナーなどである。図１では係止部材１４がジャンパーホックの場合を示しており、ジャンパーホック１４は本体部１４ａとフラップ部１４ｂから構成される。本体部１４ａは不図示のゲンコ部と不図示のホソ部から構成され、フラップ部１４ｂは不図示のバネ部と不図示のアタマ部から構成されている。
【００２１】
本体部１４ａとフラップ部１４ｂを係合させることで把持部１１を円筒状に形成することが可能となる。本体部１４ａとフラップ部１４ｂの把持部１１における配置場所は特に限定するものではなく、把持部１１を円筒状に形成できる位置であればよい。なお、この例ではジャンパーホック１４は１つであるが、複数あってもよい。例えば、複数のジャンパーホック１４が、傘が挿入される方向と略平行に把持部１１に配置され、対応するそれぞれの本体部１４ａとフラップ部１４ｂが係合して円筒状を形成できるようにして配置する。これにより、挿入される傘が水吸収部１２全体に密着する円筒が形成され、傘に付着した水滴を効率よく吸収することができる。
【００２２】
また、本体部１４ａのみを複数配置してもよい。例えば、複数の本体部１４ａが、傘が挿入される方向と略垂直に把持部１１に配置され、それぞれの本体部１４ａにフラップ部１４ｂが係合可能にする。これにより、傘を閉じた際の太さに応じた円筒状の把持部１１を形成することができる。なお、上述した本体部１４ａとフラップ部１４ｂがそれぞれ複数ある場合と組み合わせることも可能である。すなわち、各フラップ部１４ｂに対して複数の本体部１４ａがそれぞれ傘が挿入される方向と略垂直に把持部１１に配置される場合である。
【００２３】
また、係止部材１４によって把持部１１を円筒状に形成可能にするのではなく、あらかじめ把持部１１が円筒状に形成されていてもよい。すなわち、把持部１１が展開可能ではなく、例えば縫合されていたりしてもよい。
【００２４】
図２は傘保持具１０の把持部１１が円筒状に形成された際の斜視図の一例である。図２に示すように、把持部１１が円筒状に形成されることによってできる挿入口１５に傘２０を挿入することが可能となる。このとき、把持部１１は傘２０の一部（傘の生地２１の一部）を把持するように、傘２０の挿入口１５の円周長より挿入口１５と対向する出口１６の円周長のほうが短く構成される。
【００２５】
すなわち、傘２０を挿入する挿入側の方が傘２０の先２２が出てくる出口側よりも開口部分が広い。なお、出口１６の開口の大きさは、出口１６のところで傘２０が止まって抜け落ちない程度の大きさである必要がある。これにより、傘２０を挿入した際、傘２０が出口１６のところで止まり、保持部１３を鞄（物体）などに取り付けることで傘２０を保持し続けることが可能となる。
【００２６】
なお、図１や図２に示すように、出口１６の部分の内側に傘２０の抜け落ちを防ぐストッパー部１７を備えてもよい。ストッパー部は傘２０の抜け落ちを防ぐことができるものであれば数や位置に限定するものでよく、例えばラバーなどが考えられる。また、ストッパー部１７として、出口１６の円周部分にゴムやバネなどの弾性体を取り付けて傘２０を出口１６の部分で締め付けるようにして抜け落ちを防いでもよい。
【００２７】
また、ストッパー部１７を出口１６の部分の内側に配置するのではなく、挿入口１５の部分の内側に配置するようにしてもよく、また挿入口１５及び出口１６の双方にストッパー部１７を配置するようにしてもよい。
【００２８】
また、傘保持具１０には水吸収部１２が形成されており、把持部１１が上述したような円筒形状のため、傘２０が挿入口１５から挿入されると傘２０に付着した水滴は傘２０が水吸収部１２に接することにより水吸収部１２に吸収される。このとき、水吸収部１２は、水滴を吸収するものであればよく、例えばモップ状の生地などが考えられるがこれに限定されるものではない。
【００２９】
説明をわかりやすくするため、把持部１１の円筒形状を展開して横方向から見た傘保持具１０を図３に示す。図３に示すように、傘２０が挿入口１５から挿入され、矢印３０に示す下方方向へ押し込まれると、傘２０の生地２１が水吸収部１２（例えば、モップ状生地）に当接しながら下方へ移動する。これにより、傘２０の生地２１に付着した水滴が水吸収部１２に吸収されるため、傘２０の先２２から水滴が垂れたり、傘２０の生地２１が触れることにより周囲を濡らしたりすることを防ぐことができる。
【００３０】
ここでは、水吸収部１２が把持部１１の中央部分のみに配置されているが、把持部１１全体に配置されていてもよい。これにより、水吸収部１２が傘２０の生地２１の一部分のみではなく、生地２１の周囲全体に当接するため、生地２１の水滴をより多く吸収することができる。また、水吸収部２１の配置場所は上記に限定されるものではなく、例えば把持部１１の中央部分ではなく、中央部分を除いた部分に配置するようにしてもよい。
【００３１】
また、水吸収部１２は把持部１１に対して着脱可能に形成されていてもよい。これにより、水吸収部１２が汚れたり水滴の吸収が弱まったりした際に、交換することができる。水吸収部１２の着脱には、例えばマジックテープ（登録商標）などを用いて行うようにしてもよい。
【００３２】
図４は図１に示す傘保持具１０の裏面を示す図である。図４に示すように、水吸収部１２は図１に示す水吸収部１２が伸長して把持部１１の裏面の一部にまで伸びている。水吸収部１２の長さはこれに限定されるものではなく、裏面にまで伸びていなくてもよい。水吸収部１２が着脱可能である場合、裏面においても水吸収部１２を着脱可能にする手段、例えばマジックテープ（登録商標）などが形成されてもよい。
【００３３】
また、上記では把持部１１と水吸収部１２をそれぞれ別部材として説明したが、把持部１１と水吸収部１２を同一の一体部材としてもよい。すなわち、把持部１１も水吸収部１２と同様に、例えばモップ生地などで構成されてもよい。これにより、水吸収部１２の着脱の煩わしさがなく、傘保持具１０をそのまま洗浄することができる。
【００３４】
また、保持部１３は傘保持具１０を鞄や車両の手すりなどの物体に取り付けて保持させるものであり、保持させる手段は特に限定されるものではなく、図１に示す例ではジャンパーホック１８（１８ａ、１８ｂ）となっている。円筒状に形成された把持部１１を物体に引っ掛けて保持しようとする場合、ジャンパーホック１８の本体部１８ａとフラップ部１８ｂを係合させ、傘保持具１０を物体に引っ掛ける。保持させる手段は、ジャンパーホック以外に、図５に示すベルト５１の留め金であるバックル５０であってもよく、取り外しが容易なマジックテープ（登録商標）などであってもよい。
【００３５】
また、保持部１３の形状や把持部１１における配置場所は一例であって、これに限定されるものでない。例えば、図６に示すように保持部１３が把持部１１の上部に取り付けられた引っ掛け可能なフック６０であり、鞄や手すりなどに引っ掛けることが可能なものであってもよい。
【００３６】
また、保持部１３や把持部１１は水吸収部１２と異なり、撥水性を有する素材であってもよい。これにより、鞄などに保持させた場合、鞄などを濡らすことなく傘を保持することができる。
【００３７】
また、把持部１１が、図７に示すように、傘２０が挿入される方向と略垂直に蛇腹部７０を備え、蛇腹部７０が伸縮するように構成されていてもよい。このように構成することによって、傘保持具１０の不使用時には鞄などにアクセサリーとして装着し、使用時には例えば把持部１１に取り付けられた引っ張り部７１を下方へ引っ張ることによって蛇腹部７０が展開され、傘保持具１０が伸びて傘２０を挿入することができる。挿入後、紐７２に取り付けられた紐ストッパー７３を指で押した状態で紐７２を手前に引っ張ることによって挿入口が閉じられる。
【００３８】
また、上述した傘保持具１０は、傘２０の一部の生地２１に当接程度の大きさであるが、図８に示すように傘２０の全体の生地２１に当接する程度の大きさであってもよい。これにより、傘２０全体に付着した水滴を多く吸収させ、傘２０の先２２から水が滴ることをより防ぐことが可能となる。
【００３９】
図９に示す傘保持具１０は、図５に示す傘保持具１０と似ているが、図５に示す傘保持具１０では傘２０の挿入口から下方に向かうにつれて細くなっているが、図９に示す傘保持具１０では下方においても傘２０の挿入口と同じ大きさで構成されている。すなわち、傘保持具１０が円柱形となっている。
【００４０】
図１０に示す傘保持具１０は、図９に示す傘保持具１０の変形例である。すなわち、図１０に示す傘保持具１０は、図９に示すバックル５０をマジックテープ（登録商標）１００にしたものである。また、更に、帯革１０１が傘保持具１０の下方に設けられたものである。革帯１０１を締めることによって傘保持具１０の下方が絞られ、傘２０が抜け落ちることを防ぐことができる。
【００４１】
図１１に示す傘保持具１０は、図１０に示す傘保持具１０の革帯１０１をマジックテープ（登録商標）１１０にしたものである。マジックテープ（登録商標）１１０にすることによって、革帯１０１の場合よりも容易に締め付けることができる。
【００４２】
図１２に示す傘保持具１０は、図６に示す傘保持具１０の変形例である。すなわち、図１２に示す傘保持具１０は、図６に示す逆円錐形に形成された傘保持具１０を逆四角錐としたものである。このときの係止部はマグネット１２０となっている。係止部をマグネット１２０とすることによって、容易に把持部１１を筒状に形成することが可能となる。また、この場合の把持部１１は布などの生地であってもよいが、四角形状を維持するためにプラスティックな木材などの形状を記憶できる素材であることが好ましい。また、この傘保持具１０は逆四角錘の各面を内側に折ることによって折り畳むことができるようにしてもよい。これにより、コンパクトにすることができ、持ち運びが容易になる。
【００４３】
図１３に示す傘保持具１０は、図１２に示す傘保持具１０の変形例である。すなわち、図１３に示す傘保持具１０は、図１２に示すマグネット１２０を帯革１３０にしたものである。図１３では帯革１３０が２つ設けられているが、２つに限定されるものではなく、１つでもよく、さらに多くてもよい。帯革１３０にすることによって、締め付けを強くしたり、弱くしたりと調節が可能となる。なお、マジックテープ（登録商標）としてもよい。また、この傘保持具１０は逆四角錘の各面を内側に折ることによって折り畳むことができるようにしてもよい。これにより、コンパクトにすることができ、持ち運びが容易になる。
【００４４】
図１４に示す傘保持具１０は、図６に示す傘保持具１０の変形例である。すなわち、図１４に示す傘保持具１０は、図６に示す逆円錐形状に形成された傘保持具１０を略立方体（略キューブ）形状としたものである。略立方体形状とすることで、よりコンパクトになりアクセサリーグッズとして持ち運ぶことができる。このときの傘保持具１０の把持部１１は、例えばプラスティックなどの素材であるがこれに限定されるものではなく、他の素材（例えば、布や金属など）であってもよい。
【００４５】
図１５は傘保持具１０をユーザがバッグに付けて使用した際の様子を示す図である。図１５に示すように、傘２０が挿入された傘保持具１０は、傘保持具１０の保持部１３を介してバッグに取り付けられている。これによって、手を塞ぐことなく傘２０に付いた水滴を取り除くことができ、更に傘２０の置き忘れなどを防ぐこともできる。
【００４６】
なお、上述した傘保持具１０の把持部１１の円筒内の通気性をよくするために、把持部１１に不図示の通気口を設けてもよく、通気口の数は１つに限定されるものではなく、複数あってもよい。これにより、円筒内での蒸れを防ぐことができる。
【産業上の利用可能性】
【００４７】
本考案に係る傘保持具は、水滴を周囲に付着させずに水滴を拭き取ることができるため、産業上の利用可能性を有している。
【符号の説明】
【００４８】
１０  傘保持具
１１  把持部
１２  水吸収部
１３  保持部
１４  係止部
１４ａ  本体部
１４ｂ  フラップ部
１５  挿入口
１６  出口
１７  ストッパー部
１８  ジャンパーホック
１８ａ  本体部
１８ｂ  フラップ部
２０  傘
２１  生地
２２  傘の先
３０  矢印
５０  バックル
５１  ベルト
６０  フック
７０  蛇腹部
７１  引っ張り部
７２  紐
７３  紐ストッパー
１００、１１０  マジックテープ
１０１、１３０  帯革
１２０  マグネット
【図１】
0003229655.tif 000003
【図２】
0003229655.tif 000004
【図３】
0003229655.tif 000005
【図４】
0003229655.tif 000006
【図５】
0003229655.tif 000007
【図６】
0003229655.tif 000008
【図７】
0003229655.tif 000009
【図８】
0003229655.tif 000010
【図９】
0003229655.tif 000011
【図１０】
0003229655.tif 000012
【図１１】
0003229655.tif 000013
【図１２】
0003229655.tif 000014
【図１３】
0003229655.tif 000015
【図１４】
0003229655.tif 000016
【図１５】
0003229655.tif 000017